(57)【要約】【課題】映像プレーンに重ねられる別プレーンの文字や図形に対する輪郭強調補正等を容易化する。【解決手段】画像プレーン（１０，１）に複数の付加情報プレーン（１３，１４，１５）をアルファ合成するために、付加情報プレーンのアルファ合成に利用するパレットメモリ（２０，２１，２２）を有し、パレットメモリは対応する付加情報プレーンのデータに基づいてアルファ値データや色差データを並列出力可能である。パレットメモリは付加情報プレーンのデータに応じてアルファ値も可変に出力可能であるから、その可変に出力可能にされるアルファ値に基づいて所望の輪郭強調補正などが可能である。輪郭強調補正のための専用の補正回路を要しない。アルファ値、赤色、緑色及び青色を指定するデータを並列出力可能であるから、アルファ合成処理も効率的に行うことができる。【選択図】　　　　図１
2004023332.tif 000002
【特許請求の範囲】
【請求項１】
画像プレーンに複数の付加情報プレーンをアルファ合成する画像データ処理回路であって、
前記付加情報プレーンのアルファ合成に利用するパレットメモリを有し、
前記パレットメモリは対応する付加情報プレーンのデータに基づいてアルファ値、赤色、緑色及び青色を指定するデータを並列出力可能であることを特徴とする画像データ処理回路。
【請求項２】
前記付加情報プレーンは、文字図形プレーン、字幕プレーン及びメニュープレーンであり、夫々のプレーンに対応して前記パレットメモリを有することを特徴とする請求項１記載の画像データ処理回路。
【請求項３】
前記画像プレーンは動画プレーンと静止画プレーンの一方又は双方であることを特徴とする請求項２記載の画像データ処理回路。
【請求項４】
前記動画プレーンのデータを入力するバッファとして１６キロバイト以上の記憶容量を備えたバッファメモリを有することを特徴とする請求項３記載の画像データ処理回路。
【請求項５】
中央処理装置を有し、１個の半導体チップに形成されて成ることを特徴とする請求項４記載の画像データ処理装置。
【請求項６】
前記パレットメモリは、付加情報プレーンのデータに基づいて出力すべきアルファ値を前記中央処理装置により書き換え可能であることを特徴とする請求項５記載の画像データ処理装置。
【請求項７】
ディジタルテレビジョン信号を選局するディジタルチューナ部と、
前記ディジタルチューナ部で選局されたディジタルテレビジョン信号のデータを復号するデコード部と、
前記デコード部で復号された動画プレーンと静止画プレーンの一方又は双方に、文字図形プレーン、字幕プレーン及びメニュープレーンをアルファ合成する映像信号処理部と、を有し、
前記映像信号処理部は、文字図形プレーン、字幕プレーン及びメニュープレーンの夫々に対応するパレットメモリと、前記パレットメモリの出力を受けるアルファ合成処理部とを有し、
前記パレットメモリは、対応するプレーンのデータに基づいてアルファ値、赤色、緑色及び青色を指定するデータを並列出力可能であることを特徴とするディジタル放送受信装置。
【請求項８】
前記パレットメモリは、８ビットのインデックスカラー情報をアドレスとして赤色、緑色及び青色を指定する２４ビットのデータと、複数ビットのアルファ値指定情報をアドレスとして８ビットのアルファ値データとを出力可能であることを特徴とする請求項７記載のディジタル放送受信装置。
【請求項９】
前記パレットメモリは、対応するプレーンのデータに基づいて出力すべきアルファ値を書き換え可能にされるＲＡＭであることを特徴とする請求項８記載の画像データ処理装置。
【発明の詳細な説明】
【０００１】
【発明の属する技術分野】
本発明は、テレビジョン信号などの画像信号に対するアルファ（α）合成処理に関し、例えばＢＳディジタル放送受信装置に適用して有効な技術に関する。
【０００２】
【従来の技術】
ＢＳディジタル放送などにおいてマルチメディアのデータを復号表示する場合には動画、静止画、文字図形、及び字幕（映像内容に関連したサービス）情報の夫々に対応したプレーンを合成制御する論理構成が規定されている。それらの合成制御にはアルファ合成（アルファブレンド）処理が適用される。アルファ合成とは、ある画像があってその上に他の画像をある不透明度で描画することを言う。その不透明度を普通パラメータαで表す。要するに元の画像に透けたような別の画像が乗る。そのようなプレーンの重ね合わせにアルファ合成処理を採用した技術について記載された文献の例として、アルファブレンド等により５枚のプレーンを合成させるシステムについて記載された特開２００１−３２６９３２、５プレーン（ＡＲＩＢ　ＳＴＤ−Ｂ２４規格）対応の映像信号処理部について記載された特開２００１−２９２３４１、３個の合成部を有する画像合成処理装置について記載された特開２００１−２８５７４９、動画プレーン、静止画プレーン及び文字図形プレーンを合成させて表示させる映像表示装置について記載された特開２００１−８６３６７がある。
【０００３】
【発明が解決しようとする課題】
本発明者は、ディジタル放送では、文字や図形などの情報を表示することが多くなるために、動画、静止画、文字図形、及び字幕（映像内容に関連したサービス）情報の夫々に対応したプレーンのアルファ合成（アルファブレンド）処理を行った際の文字や図形をくっきり見やすくすることについて検討し、以下の問題点を見出した。
【０００４】
第１に、文字や図形をくっきり見やすくするために、特開２００１−２９２３４１等で開示される輪郭強調回路を用いる場合には、各映像プレーン毎に異なる輪郭強調パラメータに対応して全ての映像プレーンをくっきり見やすくするのに回路構成が複雑になり、表示態様の融通性について犠牲になることが明らかにされた。第２に、文字図形プレーンに対してカラーパレットが採用されておらず、下地プレーンとの関係で見づらい場合のあることも予想される。第３にカラーパレットに対するアクセス形態如何ではその後段で行われるアルファ合成処理に時間を要し、表示遅れの虞のあることが見出された。
【０００５】
本発明の目的は、アルファ合成処理されたマルチメディア情報を見やすくすることができる画像データ処理回路を提供することにある。
【０００６】
本発明の別の目的は、映像プレーンに重ねられる別プレーンの文字や図形に対する輪郭強調補正等が容易な画像データ処理回路を提供することにある。
【０００７】
本発明のその他の目的は、くっきり見やすいマルチメディア映像を表示可能なディジタル放送受信装置を提供することにある。
【０００８】
本発明の前記並びにその他の目的と新規な特徴は本明細書の記述及び添付図面から明らかになるであろう。
【０００９】
【課題を解決するための手段】
本願において開示される発明のうち代表的なものの概要を簡単に説明すれば下記の通りである。
【００１０】
〔１〕画像プレーン（１０，１１）に複数の付加情報プレーン（１３，１４，１５）をアルファ合成（アルファブレンド若しくは透かし処理とも称する）する画像データ処理回路は、前記付加情報プレーンのアルファ合成に利用するパレットメモリ（２０，２１，２２）を有し、前記パレットメモリは対応する付加情報プレーンのデータに基づいてアルファ値、赤色、緑色及び青色を指定するデータを並列出力可能である。
【００１１】
上記より、パレットメモリは付加情報プレーンのデータに応じてアルファ値も可変に出力可能であるから、その可変に出力可能にされるアルファ値に基づいて所望の輪郭強調補正などが可能である。輪郭強調補正のための専用の補正回路を要しない。更に、アルファ値、赤色、緑色及び青色を指定するデータを並列出力可能であるから、アルファ合成処理も効率的に行うことができる。
【００１２】
本発明の具体的な態様として、前記付加情報プレーンは、文字図形プレーン（１３）、字幕プレーン（１４）及びメニュープレーン（１５）であり、このとき、夫々のプレーンに対応して前記パレットメモリ（２０，２１，２２）を有するのがよい。また、前記画像プレーンは動画プレーン（１０）と静止画プレーン（１１）の一方又は双方である。更に前記画像プレーンは動画プレーン（１０）と静止画プレーン（１１）との切替え制御等を行うための動画静止画切替えプレーン（１２）を有する。
【００１３】
ＢＳディジタル放送への対応を考慮すると、前記動画プレーンのデータを入力するバッファとして１６キロバイト以上の記憶容量を備えたバッファメモリ（４１）を有するのが望ましい。少なくとも１走査線分の動画データを単位にアルファ合成処理可能になり、表示画質の向上に寄与することができる。画像データ処理装置は中央処理装置（２５）と共に１個の半導体チップに形成されてよい。動画画像プレーンのデータ及び付加情報プレーンのデータは画像データ処理装置の外部メモリ（３６）に一時的に蓄えられ、そこから前記中央処理装置の制御によりリードされてアルファ合成処理可能となる。
【００１４】
更に、前記パレットメモリは、付加情報プレーンのデータに基づいて出力すべきアルファ値を前記中央処理装置により書き換え可能であることが望ましい。これにより、パレットメモリ内のアルファ値をソフトウェアで書き換え可能になるから、中央処理装置の動作プログラムにより輪郭強調を自在に補正することが容易になる。
【００１５】
〔２〕本発明に係るディジタル放送受信装置は、ディジタルテレビジョン信号を選局するディジタルチューナ部（２）と、ディジタルチューナ部で選局されたディジタルテレビジョン信号のデータを復号するデコード部（３）と、前記デコード部で復号された動画プレーンと静止画プレーンの一方又は双方に、文字図形プレーン、字幕プレーン及びメニュープレーンをアルファ合成する映像信号処理部（４）と、を有する。前記映像信号処理部は、文字図形プレーン、字幕プレーン及びメニュープレーンの夫々に対応するパレットメモリと、前記パレットメモリの出力を受けるアルファ合成処理部とを有する。前記パレットメモリは、対応するプレーンのデータに基づいてアルファ値、赤色、緑色及び青色を指定するデータを並列出力可能である。
【００１６】
上記より、パレットメモリは対応するプレーンのデータに応じてアルファ値も可変に出力可能であるから、その可変に出力可能にされるアルファ値に基づいて所望の輪郭強調補正などが可能である。輪郭強調補正のための専用の補正回路を要しない。更に、アルファ値、赤色、緑色及び青色を指定するデータを並列出力可能であるから、アルファ合成処理も効率的に行うことができる。これにより、アルファ合成処理されたマルチメディア情報を見やすくすることができる。
【００１７】
本発明の具体的な態様として、前記パレットメモリは、インデックス情報（ＩＤＸ）に含まれる情報を基にして、例えば８ビットのインデックスカラー情報（ＩＤＸＣＬＲ）をアドレスとして赤色、緑色及び青色を指定する２４ビットのデータと、複数ビットのアルファ値指定情報（ＩＤＸα）をアドレスとして８ビットのアルファ値データとを出力可能である。また、前記パレットメモリは、対応するプレーンのデータに基づいて出力すべきアルファ値を書き換え可能にされるＲＡＭで構成するとよい。当該ＲＡＭ上でアルファ値の書き換えが可能であるから、例えば前記ＲＡＭをアクセス可能な中央処理装置の動作プログラムを用いて文字や図形等に対する輪郭強調を自在に補正することが容易になる。
【００１８】
【発明の実施の形態】
図２には本発明に係るディジタル放送受信装置の概略がブロック図で示される。同図に示されるディジタル放送受信装置１は、ディジタルチューナ部２、デコード部３及び映像信号処理部４から成る。前記ディジタルチューナ部２は、ディジタルテレビジョン信号を選局する。前記デコード部３は、前記ディジタルチューナ部２で選局されたディジタルテレビジョン信号のデータを復号する。映像信号処理部４は、前記デコード部３で復号された動画プレーンと静止画プレーンの一方又は双方に、文字図形プレーン、字幕プレーン及びメニュープレーンをアルファ合成する。前記動画プレーン、静止画プレーン、文字図形プレーン、字幕プレーンはデコード部３によるテレビジョン信号の復号によって得られる。動画プレーンと静止画プレーンの切替を指示する動画静止画切替プレーンもテレビジョン信号の復号によって得られる。前記メニュープレーンは、特に制限されないが、ディジタル放送受信装置１が適用される図示を省略するテレビジョンユニットの操作部による操作で得られる。
【００１９】
ここでプレーンとはビットマップ形態で同種の情報を表示する表示面を抽象的に指称する。それぞれのプレーンのデータ、即ちプレーンを構成するためのデータは、適用システムに応じて所定のフォーマットが規定される。
【００２０】
図１には前記映像信号処理部４の要部である表示リフレッシュ制御回路が機能的に例示される。動画プレーン１０のデータ又は静止画プレーン１１のデータは動画静止画切替プレーン１２の切換えデータＳＥＬによりスイッチ回路１６で選択される。選択されたデータには、後段の直列３段のアルファ合成処理手段（αブレンド処理手段）１７，１８，１９にて、パレットメモリ２０，２１，２２からの出力とアルファ合成処理（αブレンド処理）される。動画プレーン１０のデータ及び静止画プレーン１１のデータは、特に制限されないが、輝度（Ｙ）と色差（Ｃｂ，Ｃｒ）を意味する色差データ（コンポーネントデータ）ＹＣｂＣｒとされる。色差データＹＣｂＣｒは表示フレーム対応するデータであって、水平走査線に同期する順番で伝送される。パレットメモリ２０，２１，２２の出力データ形態は前記色差データＹＣｂＣｒとα値データとされる。この出力も水平走査線に同期する順番で伝送される。
【００２１】
前記αブレンド処理は、動画又は静止画プレーンの色差データに、パレットメモリ２０，２１，２２からの色差データをα値で指定される透過度で重ね合わせる演算処理とされる。この演算処理は水平走査線のピクセル単位での処理とされる。例えば、αブレンドされる文字や図形などの輪郭に相当するピクセルのα値を周りのピクセルのα値に対して透過度を相違させることによって、その輪郭を強調して表示したりすることが可能になる。要する、パレットメモリ２０，２１，２２から出力されるα値データが可変とされることにより、そのα値に基づいて所望の輪郭強調補正などが可能になる。
【００２２】
前記パレットメモリ２０，２１，２２は、文字図形プレーン１３、字幕プレーン１４、メニュープレーン１５毎に設けられている。前記パレットメモリ２０，２１，２２は、図４に例示されるように、インデックス情報ＩＤＸをアドレス情報として入力する。インデックス情報ＩＤＸは８ビットのインデックスカラー情報ＩＤＸＣＬＲと複数ビットのアルファ値指定情報ＩＤＸαを含む。前記パレットメモリ２０，２１，２２は、前記インデックスカラー情報ＩＤＸＣＬＲをアドレスとして赤色、緑色及び青色を指定する２４ビットのデータ例えば前記色差データＹＣｂＣｒを出力可能であると共に、前記アルファ値指定情報ＩＤＸαをアドレスとして８ビットのα値データを出力可能である。図３に例示されるようにパレットメモリ２０，２１，２２は、特に制限されないが、赤色データブロックＲｍｂ、緑色データブロックＧｍｂ、青色データブロックＢｍｂ、及びα値データブロックαｍｂの４つのメモリブロックを有し、各ブロック８ビットのデータを２５６種類保有する事ができる、２５６ワード×８ビットの記憶エリアを有する。各データブロックＲｍｂ，Ｇｍｂ，Ｂｍｂ，αｍｂは同時にアクセスすることが可能とされ、前３者のデータブロックＲｍｂ，Ｇｍｂ，Ｂｍｂはインデックスカラー情報ＩＤＸＣＬＲによってアドレシングされ、α値データブロックαｍｂはアルファ値指定情報ＩＤＸαにてアドレシングされる。各データブロックＲｍｂ，Ｇｍｂ，Ｂｍｂ，αｍｂが同時にアクセス可能とされるから、後段のαブレンド処理も効率的に行なうことができる。
【００２３】
前記パレットメモリ２０，２１，２２はＳＤＲＡＭ（シンクロナス・ダイナミック・ランダム・アクセス・メモリ）等のＲＡＭによって構成される。このＲＡＭが例えば中央処理装置（ＣＰＵ）２５のアドレス空間にマッピングされていれば、当該ＲＡＭ上でα値データの書き換えが可能であるから、前記アルファ値指定情報ＩＤＸαによるα値データの指定の仕方によるだけでなく、例えば前記ＲＡＭをアクセス可能なＣＰＵ２５の動作プログラムを用いて文字や図形等に対する輪郭強調を更に自在に補正することが容易になる。
【００２４】
前記パレットメモリ２０，２１，２２に供給される前記インデックス情報ＩＤＸに含まれる前記インデックスカラー情報ＩＤＸＣＬＲ及びアルファ値指定情報ＩＤＸαは、ピクセル単位の情報である。文字図形プレーン１３、字幕プレーン１４、メニュープレーン１５のデータとしてそれら情報の全てを直接持ってもよいが、ここでは、水平垂直方向画素繰り返し回路（グラフィックフォーマットコンバージョン回路：ＧＦＣ）２７，２８，２９を介在させる。前記ＧＦＣ２７，２８，２９は、各プレーンにおいて隣接する４ピクセル分の情報を一つの情報に代表させるデータを入力してこれを隣接４ピクセルのデータにフォーマット変換する回路である。要するに、例えば１／４のデータ量としてＳＤＲＡＭ３６に格納された前記文字図形プレーン１３、字幕プレーン１４、及びメニュープレーン１５の１ピクセル分のデータを用いて４ピクセル分のデータに拡張するという処理を公知のアルゴリズムに従って行なう回路である。
【００２５】
前記ＧＦＣ２７，２８，２９を設けることで、動画静止画切り替えプレーン１２、文字図形プレーン１３、字幕プレーン１４、及びメニュープレーン１５のデータを伝送するデータバスのバス幅或は転送サイクル数を１／４に低減できる。動画プレーン１０や静止画プレーン１１の高解像度表示を行なう場合であっても、それと一緒に文字図形、字幕、メニュー表示も同じ表示品質を保証したところで左程の意味はなく、そのような簡略手法を用いても一般的には体感的な違和感は殆ど無く、実害はないと考えられる。データバスのバス幅或は転送サイクル数を１／４に低減できる。例えばバス制御ブロックであるＤＳＣ（データストリームコントローラ）によるデータ転送動作におけるバス占有率を９０％程度から４０％程度に低減することができる。これにより、ＡＲＩＢＳＴＤ−Ｂ２４で規定される５プレーンモデルに対し、メニュープレーン１５が追加され、且つメニュープレーン１５及び文字図形プレーン１３にパレットメモリ２２，２０を追加する場合であっても、合計５＋１プレーンの重ね合わせ処理に必要なバスのバンド幅、要するに必要なデータ転送動作を確保することができる。
【００２６】
図５には前記映像信号処理部４を実現するデータプロセッサ３０が例示される。同図に示されるデータプロセッサ３０は、特に制限されないが、単結晶シリコンなどの１個の半導体基板（チップ）に公知の半導体集積回路製造技術により形成される。データプロセッサ３０は、ＣＰＵ２５、ビデオスケーラ３３、表示リフレッシュ制御回路（ＤＲＣ）３４、及びＤ／Ａ変換器（Ａ／Ｄ）３５により構成される。表示リフレッシュ制御回路３４は図１に示されるα合成処理のための機能を備える。ＣＰＵ２５、ＤＲＣ３４及びビデオスケーラ３３は外部バス３８を介してＳＤＲＡＭ３６に接続される。Ｄ／Ａ変換器３５の出力は表示装置３７に与えられる。前記ビデオスケーラ３３の出力は動画プレーン１０のデータとされる。前記ＣＰＵ２５の制御のもとでのＳＤＲＡＭ３６からＤＲＣ３４への出力は、前記静止画プレーン１１、動画静止画切替えプレーン１２、文字図形プレーン１３、字幕プレーン１４、及びメニュープレーン１５のデータとされる。特に図示はしないが、前記プレーン１１、１２、１３、１４、１５のデータをＤＲＣ３４に転送する制御は図示を省略するＤＳＣを用いて行なうことを妨げない。
【００２７】
図６には前記ビデオスケーラ３３の一例が示される。ビデオスケーラ３３はＤＴＳ−ＩＦ４０、バッファメモリ４１、及び画像処理部４２から成る。ＤＴＳ−ＩＦ４０は動画プレーン１０のデータをＳＤＲＡＭ３６からバッファメモリ４１に転送する際のトランスファースイッチの役目を行う。ＳＤＲＡＭからビデオスケーラに対する転送制御は例えばＣＰＵ２５内のデータストリームコントローラ（ＤＳＣ）４３により制御が行われる。バッファメモリ４１は１６キロバイト以上の記憶容量を有する。ＢＳディジタル放送の受信表示において水平走査線の１走査線分の動画データ量が１６キロバイトであるのに鑑みれば、そのような受信表示を制御する場合に、バッファメモリ４１に１６キロバイト以上に容量を割当てておけば、１走査線分の動画データを単位にαブレンド処理を行なうことができ、リアルタイム表示若しくは表示品質の向上に寄与することができる。
【００２８】
以上説明したα合成を行なうデータプロセッサ３０若しくは表示リフレッシュ制御回路３４によれば、パレットメモリ２０，２１，２２は文字図形プレーン１３、字幕プレーン１４、メニュープレーン１５のデータに応じてアルファ値も可変に出力可能であるから、その可変に出力可能にされるアルファ値に基づいて所望の輪郭強調補正などが可能である。輪郭強調補正のための専用の補正回路を設けることを要しない。更に、パレットメモリ２０，２１，２２は２４ビットのＹＣｂＣｒと８ビットのα値データを同時に出力可能であるから、αブレンド処理も効率的に行うことができる。前記パレットメモリ２０，２１，２２は、文字図形プレーン１３、字幕プレーン１４、メニュープレーン１５のデータに基づいて出力すべきアルファ値をＣＰＵ２５等により書き換え可能であるから、パレットメモリ内のアルファ値それ自体をＣＰＵ２５のソフトウェアで書き換えることも可能になり、中央処理装置の動作プログラムにより輪郭強調を自在に補正することが容易である。ＢＳディジタル放送受信装置に適用することにより、アルファ合成処理されたマルチメディア情報を見やすくすることができる。
【００２９】
以上本発明者によってなされた発明を実施形態に基づいて具体的に説明したが、本発明はそれに限定されるものではなく、その要旨を逸脱しない範囲において種々変更可能であることは言うまでもない。
【００３０】
例えば、パレットメモリのカラー出力データ形式は２４ビットのＹＣｂＣｒに限定されず、適用システムに応じて適宜変更可能である。また、各種プレーンのデータ構成も適宜変更可能である。また、αブレンド処理手段１７，１８，１９は夫々個別のハードウェアが設けられている必要はなく、共通の浮動小数点演算ユニットなどを用いて直列的にαブレンド演算処理を行なえばよい。
【００３１】
更に、パレットメモリ２０，２１，２２やビデオスケーラ３３に接続されるメモリはＳＤＲＡＭに限定されるものでなく、ＳＲＡＭ（スタティック・ランダム・アクセス・メモリ）やＤＤＲ−ＳＤＲＡＭ（ダブル・データ・レート―ＳＤＲＡＭ）等のＲＡＭ等で構成されていてもよい。
【００３２】
更に、ＩＤＸとして示されるインデックスカラー情報ＩＤＸＣＬＲ及びアルファ値指定情報ＩＤＸαは３２ビット情報として出力されることに限定されず、適用システムに応じてそのビット長及びその構成を適宜変更可能である。
【００３３】
以上の説明では主として本発明者によってなされた発明をその背景となった利用分野であるＢＳディジタル放送の受信装置に適用する場合について説明したが、本発明はそれに限定されず、カーナビゲーション装置における表示装置、携帯電話機の表示装置などに広く適用することができる。
【００３４】
【発明の効果】
本願において開示される発明のうち代表的なものによって得られる効果を簡単に説明すれば下記の通りである。
【００３５】
すなわち、アルファ合成処理されたマルチメディア情報を見やすくすることができる。映像プレーンに重ねられる別プレーンの文字や図形に対する輪郭強調補正等を容易化することができる。ディジタル放送受信装置において、くっきり見やすいマルチメディア映像を表示可能になる。
【図面の簡単な説明】
【図１】映像信号に対するαブレンドを行なう表示リフレッシュ制御回路を機能的に例示するブロック図である。
【図２】本発明に係るディジタル放送受信装置を概略的に示すブロック図である。
【図３】前記パレットメモリの詳細な一例を示すブロック図である。
【図４】パレットメモリのアクセスアドレス信号であるインデックス情報の説明図である。
【図５】映像信号処理部を実現するデータプロセッサを例示するブロック図である。
【図６】ビデオスケーラの詳細とそれに接続される回路を示すブロック図である。
【符号の説明】
１　ディジタル放送受信装置
２　ディジタルチューナ部
３　デコード部
４　映像信号処理部
１０　動画プレーン
１１　静止画プレーン
１２　動画静止画切替えプレーン
１３　文字図形プレーン
１４　字幕プレーン
１５　メニュープレーン
１７，１８，１９　αブレンド処理手段
２０，２１，２２　パレットメモリ
ＩＤＸＣＬＲ　インデックスカラー情報
ＩＤＸα　アルファ値指定情報
２５　ＣＰＵ
３３　ビデオスケーラ
３４　表示リフレッシュ制御回路
３６　ＳＤＲＡＭ
４０　ＤＴＳ−ＩＦ
４１　バッファメモリ
【図１】
2004023332.tif 000003
【図２】
2004023332.tif 000004
【図３】
2004023332.tif 000005
【図４】
2004023332.tif 000006
【図５】
2004023332.tif 000007
【図６】
2004023332.tif 000008